(57)【要約】【課題】排出された体液が、吸収性物品の中高部に吸収される前及び／又は後に、吸収性物品の幅方向へ移動することを防止し、また、着用者の排泄部付近の肌に付着した体液を、中高部へ誘導して吸収させることにより、横漏れを防止する吸収性物品を提供することにある。【解決手段】表面シート2、裏面シート3及びこれらの両シート間に介在された吸収体4を具備し、吸収体4が中高部5を有しており、実質的に縦長に形成された生理用ナプキン1は、中高部5の両側縁に沿って、一対の前後方向に延びる防漏クッション堤6,6が設けられている。防漏クッション堤6の高さは、中高部5の両脇において、中高部5よりも高く、後方部42において、中高部5の両脇における高さから、後端部61,61に向け漸次傾斜しながら低くなっている。【選択図】図１
2006346305.tif 000002
【特許請求の範囲】
【請求項１】
表面シート、裏面シート、及びこれらの両シート間に介在された吸収体を具備し、該吸収体が中高部を有しており、実質的に縦長に形成された吸収性物品であって、
前記中高部の両側縁に沿って前後方向に延びる、一対の防漏クッション堤が設けられている吸収性物品。
【請求項２】
一対の前記防漏クッション堤は、弾性を有しており、且つ一定の荷重下におけるそれらの圧縮変形量は、前記中高部の圧縮変形量よりも大きい請求項１記載の吸収性物品。
【請求項３】
前記吸収体は、前記中高部を有する前方部と該中高部を有さない後方部とからなっており、一対の前記防漏クッション堤の長手方向の前端部は、それぞれ前記中高部よりも前方に配されており、一対の前記防漏クッション堤の長手方向の後端部は、それぞれ前記後方部に配されており、一対の該防漏クッション堤の高さは、該中高部の両脇において、それぞれ該中高部よりも高く、前記後方部において、それぞれ該中高部の両脇における高さから、前記後端部に向け漸次傾斜しながら低くなっている請求項１又は２記載の吸収性物品。
【請求項４】
一対の前記防漏クッション堤は、前記表面シートの上に接着されて固定されている請求項１〜３の何れかに記載の吸収性物品。
【請求項５】
一対の前記防漏クッション堤は疎水性を有している請求項１〜４の何れかに記載の吸収性物品。
【請求項６】
一対の前記防漏クッション堤は発泡ウレタンから形成されている請求項１〜５の何れかに記載の吸収性物品。
【発明の詳細な説明】
【技術分野】
【０００１】
本発明は、着用者の肌側に向けられる面に、凸状に突出する中高部を有する生理用ナプキン等の吸収性物品に関する。
【背景技術】
【０００２】
従来から、着用者の肌側に向けられる面における着用者の排泄部に当接する部分に、突出した吸収性を有する中高部を形成し、それにより、スポット吸収性が高められた生理用ナプキン等が提案されている。特許文献１には、中高形状の表面シートが設けられ、フィット性が高められており、排泄された体液が、肌と表面シートとの間から漏れることが防止されている生理用ナプキンが開示されている。また、特許文献２には、高吸収性ポリマーからなる吸収層の上に、クッション層からなる中高部が設けられており、吸収効率が向上されている吸収性物品が開示されている。
更に、特許文献３には、排泄部に当接する部分に、環状突起物が設けられており、体液が該環状突起物の内部から外へ移動することが防止されている吸収性物品が開示されているが、中高部は設けられていない。
【０００３】
【特許文献１】特開平８−１１７２７７号公報
【特許文献２】特開２００３−５２７５０号公報
【特許文献３】実開平３−４３８３３号公報
【発明の開示】
【発明が解決しようとする課題】
【０００４】
しかし、吸収性物品に中高部を形成しても、中高部が身体にフィットしていなかったり、体液が多量であったり勢いを持って排出され場合に、体液が中高部に吸収される前及び／または吸収された後に、吸収性物品の幅方向へ移動して、横漏れすることがある。
【０００５】
従って、本発明の目的は、排出された体液が、吸収性物品の中高部に吸収される前及び／または吸収された後に、吸収性物品の幅方向へ移動することを防止し、また、着用者の排泄部付近の肌に付着した体液を、中高部へ誘導して吸収させることにより、横漏れを防止する吸収性物品を提供することにある。
【課題を解決するための手段】
【０００６】
本発明は、表面シート、裏面シート、及びこれらの両シート間に介在された吸収体を具備し、該吸収体が中高部を有しており、実質的に縦長に形成された吸収性物品であって、
前記中高部の両側縁に沿って前後方向に延びる、一対の防漏クッション堤が設けられている吸収性物品を提供することにより、上記目的を達成したものである。
【発明の効果】
【０００７】
本発明の吸収性物品は、吸収性を有する中高部の両側縁に沿って、一対の前後方向に延びる防漏クッション堤が設けられているため、排出された体液が、吸収性物品の中高部に吸収される前及び／または吸収された後に、吸収性物品の幅方向へ移動することを防止することができる。また、着用者の排泄部付近の肌に付着した体液を、中高部へ誘導して吸収させることにより、横漏れを防止することができる。また、装着感を低下させることなく漏れ防止を向上させることができる。
【発明を実施するための最良の形態】
【０００８】
以下、本発明の吸収性物品の好ましい実施形態について、図を参照しながら説明する。
【０００９】
本発明の吸収性物品１としての生理用ナプキン１の好ましい第１実施形態は、図１〜図３に示すように、液透過性の表面シート２、液不透過性の裏面シート３、及びこれらの両シート間に介在された液保持性の吸収体４を具備し、吸収体４が中高部５を有しており、実質的に縦長に形成されており、中高部５の両側縁に沿って、一対の前後方向に延びる防漏クッション堤６、６が設けられている。また、本発明の生理用ナプキン１は、長手方向の両側部に一対のウイング部を有しており、一対の前記ウイング部は、それぞれ裏面シート３が生理用ナプキン１の両側縁部の左右両外方に延出するように形成されている。
【００１０】
第１実施形態の生理用ナプキン１の吸収体４は、図２に示すように、中高部４を有する前方部４１と中高部４を有さない後方部４２とからなっており、一対の防漏クッション堤６、６の長手方向の前端部６１、６１は、それぞれ中高部５よりも前方に配されており、それらの後端部６２、６２は、それぞれ中高部５よりも後方に配されており、且つそれぞれ後方部４２に配されている。一対の防漏クッション堤６、６の高さは、中高部５の両脇において、それぞれ中高部５よりも高く、後方部４２において、それぞれ中高部５の両脇における高さから、後端部６２、６２に向け漸次傾斜しながら低くなっており、前端部６１、６１において、それぞれ中高部５の両脇における高さから、急激に低くなっている。
【００１１】
また、第１実施形態の生理用ナプキン１の中高部（上層吸収体）５は、図４に示すように、下層吸収体４３の表面側に積層されている。中高部５は、着用者の排泄部に当接して体液を吸収するように、生理用ナプキン１の幅方向の中央部に設けられている。吸収体４の後方部４２おいては、図２に示すように、中高部５は設けられていない。
上層吸収体５である中高部５は、表面シート２で覆われており、図２に示すように、吸収体４の前方部４１に設けられている。
昼用長時間用の生理用ナプキンとして場合には、中高部５の幅は、5〜30ｍｍであることが好ましく、中高部５の高さは、5〜30ｍｍであることが好ましく、中高部５の長さは、5〜100ｍｍであることが好ましい。
【００１２】
第１実施形態の生理用ナプキン１について、更に説明すると、中高部５の両脇おける一対の防漏クッション堤６、６は、図３及び図４に示すように、それぞれ中高部５よりも高く且つ一定に形成されている。尚、中高部５は、図３において、点線で表されている。
中高部５の両脇における一対の防漏クッション堤６、６の断面の形状は、図４に示すように、それぞれ高さＨ１、幅Ｗの略矩形形状である。中高部５の両脇における、一対の防漏クッション堤６、６の高さ方向の側面は、それぞれ生理用ナプキン１の表面シート２の上に垂直に立っている。
【００１３】
第１実施形態の生理用ナプキン１の一対の防漏クッション堤６、６は、後方部４２において、図３及び図５に示すように、中高部５に到達した体液及び排泄部付近の着用者の肌８に付着した体液が、後方部４２に移動した場合、そこから幅方向に移動することが防止され、また、肌８に付着した体液が肌の上を斜め後に移動し、後方部４２の両側縁部に移動することが防止され、吸収性を有する中高部５へ誘導されるように、それぞれ生理用ナプキン１の後方に延びて設けられている。
【００１４】
後方部４２における一対の防漏クッション堤６、６のＹ２−Ｙ２断面形状は、図５に示すように、中高部５の両脇におけるＹ１−Ｙ１断面形状と同様に、略矩形形状である。ただし、後方部４２における一対の防漏クッション堤６、６の高さＨ2、Ｈ2は、着用者のヒップ部にフィットするように、前方部４１における高さＨ1、Ｈ1（図４参照）よりも低く形成されている。
【００１５】
第１実施形態の生理用ナプキン１の一対の前記防漏クッション堤６、６の前端部６１、６１は、吸収体の中高部５の長手方向における前端部に到達した体液が、吸収体の中高部５に吸収される前及び／または吸収された後に吸収性物品の前方に移動し、さらに吸収性物品の幅方向に移動することを防止する等の観点から、それぞれ中高部５の長手方向における前端部よりも、前方に配されていることが好ましい。
具体的には、一対の前記防漏クッション堤６、６の前端部６１、６１は、それぞれ中高部５の前記前端部よりも、5〜50ｍｍまたは中高部の長さの１〜３０％前方に配されていることが好ましい。
【００１６】
第１実施形態の生理用ナプキン１の一対の前記防漏クッション堤６、６の後端部６２、６２は、吸収体の中高部５の長手方向における後端部に到達した体液が、吸収体の中高部５に吸収される前及び／または吸収された後に吸収性物品の後方に移動し、さらに吸収性物品の幅方向に移動することを防止する等の観点から、それぞれ中高部５の長手方向における後端部よりも、後方に配されていることが好ましい。
具体的には、一対の前記防漏クッション堤６、６の後端部６２、６２は、それぞれ中高部５の前記後端部よりも、5〜100ｍｍまたは中高部の長さの１〜３００％後方に配されていることが好ましい。
【００１７】
また、第１実施形態の生理用ナプキン１の一対の防漏クッション堤６、６の幅Ｗ、Ｗは、それぞれ長手方向のどの位置でも同じである。中高部５の両脇における一対の防漏クッション堤６、６の幅Ｗ、Ｗは、具体的には、それぞれ5〜20ｍｍであることが好ましい。尚、防漏クッション堤６、６の幅Ｗ、Ｗは、長手方向後方の幅が前方に比べて細くてもよい。
第１実施形態の生理用ナプキン１において、中高部５の両脇における一対の防漏クッション堤６、６の高さＨ1、Ｈ1（図４参照）は、それぞれ中高部の高さに対し５〜２００％高いことが好ましい。
第１実施形態の生理用ナプキン１の一対の防漏クッション堤６、６の長さＬ、Ｌは、それぞれ10〜400ｍｍであることが好ましい。
【００１８】
また、第１実施形態の生理用ナプキン１の一対の防漏クッション堤６、６の内側と中高部５の外側との幅方向の間隔は、それぞれ０〜２０ｍｍとするのが好ましく、一対の防漏クッション堤６、６の外側と下層吸収体４３の両外側縁との幅方向の間隔は、それぞれ0〜30ｍｍとするのが好ましい。
【００１９】
第１実施形態の生理用ナプキン１の一対の防漏クッション堤６、６は、表面シート２の上に接着されて固定されている。
第１実施形態の生理用ナプキン１の表面シート２及び裏面シート３の長手方向の両端部は、図３に示すように、ヒートシールや接着剤等の従来から好ましく用いられている方法で接合されている。表面シート２の幅方向の両端部それぞれは、図４及び図５に示すように、下層吸収体４３の両側縁で裏面側に折り曲げられており、下層吸収体４３と裏面シート３との間に挟まれて、おのおのと接着剤等で接合されている。
【００２０】
また、表面シート２も、吸収体４と接着剤等の従来から好ましく用いられている方法で接合されている。その際、表面シート２と吸収体４とのあいだ全面に、接着剤等を塗布するのではなく、部分的に接合することが、体液が表面シート２を透過して、吸収体４へ移動することを妨げない等の観点から好ましい。
【００２１】
第１実施形態の生理用ナプキン１の表面シート２、裏面シート３及び吸収体４は、生理用ナプキン等の吸収性物品において、それぞれ従来用いられている各種のものを、特に制限なく用いることができ、表面シート２は液透過性、裏面シートは液不透過性であることが好ましい。
【００２２】
第１実施形態の生理用ナプキン１の一対の前記防漏クッション堤６、６は、それぞれ着用者の動きに連動して、フィット性良く、着用者の肌８との当接状態が維持されるように、弾性を有している。従って、着用者が動いても、着用者の肌８と当接している一対の防漏クッション堤６、６も連動して変形し、一対の防漏クッション堤６、６の肌当接面と着用者の肌８との間に隙間が生じにくくなっている。
【００２３】
第１実施形態の生理用ナプキン１の一対の防漏クッション堤６、６の高さＨ、Ｈは、それぞれ図６（ａ）に示すように、着用前においては中高部５よりも高くなっている。従って、生理用ナプキン１が着用される際には、一対の防漏クッション堤６、６は、それぞれ中高部５よりも先に着用者の肌８と接して、圧縮変形を受け始めるが、一定の荷重下における、一対の防漏クッション堤６、６の圧縮変形量は、それぞれ中高部５の圧縮変形量よりも大きいため、つまり、やわらかいので、一対の防漏クッション堤６、６が肌８と接触する際に、着用者へ与える違和感は、中高部５が接触する場合よりも少なくなっている。
尚、図６（ａ）及び（ｂ）において、生理用ナプキン１の表面シート２は図示されていない。
【００２４】
第１実施形態の生理用ナプキン１が着用された状態において、一対の防漏クッション堤６、６は、図６（ｂ）に示すように、それぞれ中高部５よりも大きな圧縮変形を受けるため、一対の防漏クッション堤６、６の高さＨ、Ｈは、それぞれ中高部５よりも低くなっており、中高部５と前記排泄部との密接な当接状態が形成されている。
生理用ナプキン１が着用された状態において、一対の防漏クッション堤６、６は圧縮変形状態にあり、その内部に設けられている空隙は押し潰されている。
【００２５】
第１実施形態の生理用ナプキン１の一対の防漏クッション堤６、６は、それぞれ中高部５が吸収した体液及び中高部５が吸収できなかった体液、また排泄部付近の着用者の肌８に付着した体液が、生理用ナプキン１の幅方向へ移動することが防止され、吸収性を有する中高部５へ誘導されるように、疎水性を有している。防漏クッション堤６へ移動してきた体液は、防漏クッション堤６が疎水性を有しているため、防漏クッション堤６に付着せず、吸収性を有する中高部５へ誘導される。
【００２６】
第１実施形態の生理用ナプキン１の一対の防漏クッション堤６、６は、それぞれ疎水性を有すると共に、上述したように、弾性及び圧縮変形性を兼ね備えており、その材質は、発泡ウレタンから形成されている。一対の防漏クッション堤６、６は、それぞれ表面シート２に覆われていないため、前記発泡ウレタンの有する疎水性が有効に発揮される。
【００２７】
第１実施形態の生理用ナプキン１は、従来の生理ナプキン等の吸収性物品と同様にショーツ等の所定位置に固定して用いることができる。
【００２８】
第１実施形態の生理用ナプキン１によれば、一対の防漏クッション堤６、６は、一定の荷重下における、一対の防漏クッション堤６、６の圧縮変形量は、それぞれ中高部５の圧縮変形量よりも大きいため、中高部５及び一対の防漏クッション堤６、６は共に、着用者の排泄部近傍へのフィット性に優れる。
また、一対の防漏クッション堤６、６の高さＨ1、Ｈ1は、中高部５の両脇において、中高部５よりも高く且つ一定であり、後方部４２において、中高部５の両脇における高さから、後端部６２、６２に向け漸次傾斜しながら低くなっているため、おのおの着用者の排泄部近傍及びヒップ部へのフィット性に優れる。
【００２９】
第１実施形態の生理用ナプキン１が着用された状態において、一対の防漏クッション堤６、６を形成している前記発泡ウレタンは圧縮状態にあり、その内部に設けられている空隙は押し潰されており、前記発泡ウレタンに対する体液の透過性は低下しているため、一対の防漏クッション堤６、６の着用状態における防漏性が高められている。
【００３０】
次に本発明の生理用ナプキン１としての第２〜５実施形態を、図７〜１０を参照しながら説明する。第２〜５の実施形態について、特に説明しない点については、第１実施形態に関して詳述した説明が適宜適用される。また、図７〜１０において、図４と同じ部材に同じ符号を付してある。
【００３１】
本発明の生理用ナプキン１の好ましい第２実施形態は、図７に示すように、一対の防漏クッション堤６、６も、それぞれ表面シート２に覆われている。一対の防漏クッション堤６、６は、下層吸収体４３の上に、接着して固定されている。
一対の防漏クッション堤６、６も、それぞれ表面シート２に覆われることで、生理用ナプキン１の着用状態における装着感が高められている。
【００３２】
本発明の生理用ナプキン１の好ましい第３実施形態を、図８に示す。第２実施形態においては、中高部５と一対の防漏クッション堤６、６との間も、表面シート２によって、それぞれ覆われているが、第３実施形態では、覆われていない。その他は、第２実施形態と同様である。
【００３３】
本発明の生理用ナプキン１の好ましい第４実施形態は、図９に示すように、第３実施形態とは異なって、一対の防漏クッション堤６、６の高さＨ、Ｈは、それぞれ中高部５と略同じ高さになっている。その他は、第３実施形態と同様である。
吸収性物品の中高部に到達した体液の大部分が、速やかに吸収性物品の中高部に吸収された後に、吸収性物品の幅方向へ移動する等の場合には第４実施形態のように、中高部５の両脇における一対の防漏クッション堤６、６の高さＨ、Ｈを中高部５と略同じにすることが好ましい。
【００３４】
本発明の生理用ナプキン１の好ましい第５実施形態の中高部５は、図１０（ａ）に示すように、第１実施形態とは異なっていて、生理用ナプキン１の吸収体４の後方部４２まで長く延びている。排泄される体液の量が多い場合には、図１０（ａ）に示すように、中高部５が、後方部４２まで長く設けられている生理用ナプキン１が好適に用いられる。
尚、図１０（ａ）〜（ｃ）において、生理用ナプキン１の表面シート２及び裏面シート３は、図示していない。
【００３５】
第５実施形態の生理用ナプキン１のＹ１−Ｙ１断面図は、図１０(ｂ)に示すように、第１実施形態と同様である。第５実施形態の生理用ナプキン１のＹ２−Ｙ２断面図は、図１０(ｃ)に示すように、第１実施形態とは異なっていて、一対の防漏クッション堤６、６の間に、中高部５が前方部４１と同じ高さで設けられている。一対の防漏クッション堤６、６の高さＨ、Ｈは、それぞれ図１０(ｃ)に示すように、中高部５よりも低くなっている。これは、中高部５の両脇における一対の防漏クッション堤６、６の高さＨ、Ｈは、中高部５よりも低い方が、下層吸収体４３のフィット性が高められるためである。その他は、第１実施形態と同様である。
【００３６】
本発明の吸収性物品の実施形態は、前述した実施形態に制限されることなく、本発明の趣旨を逸脱しない限り適宜変更が可能である。
本発明の吸収性物品の一対の防漏クッション堤は、中高部と一体的に形成されていても良い。
本発明の吸収性物品の着用時におけるヒップ部の漏れ防止性を高める為、一対の防漏クッション堤の後端部同士を繋げていても良く、後部に独立した後部中高部を形成しても良い。
本発明の吸収性物品の防漏クッション堤の材質としては、疎水性を有し、弾性及び上述した圧縮変形性を有している材質であれば良い。例えば、疎水性の合成繊維の集合体を繊維シートで覆って、防漏クッション堤を形成しても良い。発泡体の空隙は、連通していても連通していなくてもよい。
本発明の生理用ナプキン１の第１実施形態において、一対の防漏クッション堤６，６それぞれは、略矩形形状の断面を有していたが、図１１（ａ）〜（ｃ）に示すように変形されていても良い。図１１（ａ）に示す実施形態においては、一対の防漏クッション堤６，６それぞれは、ナプキン１の幅方向外側に傾いて形成されている。図１１（ｂ）に示す実施形態においては、一対の防漏クッション堤６，６それぞれは、その幅方向内側の側面がナプキン１の幅方向外側に傾斜している。図１１（ｃ）に示す実施形態においては、一対の防漏クッション堤６，６それぞれは、その両側面が該防漏クッション堤６の幅方向内側に傾斜し、その断面は台形形状を有している。
本発明の生理用ナプキン１の第２〜４実施形態の表面シート２として、一対の防漏クッション堤６、６の肌当接面を覆う部分が、開孔フィルムから形成されていて、その他の部分が繊維シートから形成されていても良い。
【図面の簡単な説明】
【００３７】
【図１】図１は、本発明の生理用ナプキンの第１実施形態を示す斜視図である。
【図２】図２は、第１実施形態を模式的に示す平面図である。
【図３】図３は、図２におけるＸ−Ｘ断面図である。
【図４】図４は、図２におけるＹ１−Ｙ１断面図である。
【図５】図５は、図２におけるＹ２−Ｙ２断面図である。
【図６】図６は、図２におけるＹ１−Ｙ１線に沿って示す第１実施形態の（ａ）着用前及び（ｂ）着用時における模式的な断面図である。
【図７】図７は、本発明の生理用ナプキンの第２実施形態における図４に相当する断面図である。
【図８】図８は、本発明の生理用ナプキンの第３実施形態における図４に相当する断面図である。
【図９】図９は、本発明の生理用ナプキンの第４実施形態における図４に相当する断面図である。
【図１０】図１０は、本発明の生理用ナプキンの第５実施形態における（ａ）図３に相当する断面図、（ｂ）図４に相当する断面図及び（ｃ）図５に相当する断面図である。
【図１１】図１１（ａ）〜（ｃ）それぞれは、本発明の他の実施形態を示す図４に相当する断面図である。
【符号の説明】
【００３８】
１    生理用ナプキン（吸収性物品）
２    表面シート
３    裏面シート
４    吸収体
４１  吸収体の前方部
４２  吸収体の後方部
４３  下層吸収体
５    中高部（上層吸収体）
６    防漏クッション堤
６１  防漏クッション堤の前端部
６２  防漏クッション堤の後端部
７    ウイング部
８    着用者の肌
Ｗ    防漏クッション堤の幅
Ｈ    防漏クッション堤の高さ
【図１】
2006346305.tif 000003
【図２】
2006346305.tif 000004
【図３】
2006346305.tif 000005
【図４】
2006346305.tif 000006
【図５】
2006346305.tif 000007
【図６】
2006346305.tif 000008
【図７】
2006346305.tif 000009
【図８】
2006346305.tif 000010
【図９】
2006346305.tif 000011
【図１０】
2006346305.tif 000012
【図１１】
2006346305.tif 000013